(57)【要約】【課題】回路の異常状態の表示を視覚的に見易くするとともに、操作ハンドルの状態や位置を確認し易く、その操作性を向上し、復帰関連作業を効果的に行える回路遮断器及び分電盤を提供することを目的とする。【解決手段】本発明は、電源側と負荷側との間の回路を開閉する回路開閉接点２０と、この回路開閉接点２０を開閉操作可能な操作ハンドル１０と、回路の異常状態を検出する検出手段と、操作ハンドル１０又は操作ハンドル１０の近傍に配設され、検出手段の検出出力によって点灯制御される表示用光源１５と、前記検出手段により回路の異常状態が検出された場合、回路開閉接点２０を開放するとともに、操作ハンドル１０をトリップ位置に動作させる開閉機構２１とを備える回路遮断器である。【選択図】図２
2009259440.tif 000002
【特許請求の範囲】
【請求項１】
電源側と負荷側との間の回路を開閉する回路開閉接点と；
この回路開閉接点を開閉操作可能な操作ハンドルと；
回路の異常状態を検出する検出手段と；
操作ハンドル又は操作ハンドルの近傍に配設され、検出手段の検出出力によって点灯制御される表示用光源と；
前記検出手段により回路の異常状態が検出された場合、回路開閉接点を開放するとともに、操作ハンドルをトリップ位置に動作させる開閉機構と；
を具備することを特徴とする回路遮断器。
【請求項２】
前記検出手段は、複数種の異常状態を検出し、表示用光源は、複数種の異常状態に応じて異なる表示態様で点灯制御されることを特徴とする請求項１記載の回路遮断器。
【請求項３】
検出手段は、少なくとも過電流検出手段、漏電検出手段及び過電圧検出手段を含んでいることを特徴とする請求項２記載の回路遮断器。
【請求項４】
分電盤本体と；
この分電盤本体に配設された請求項１乃至請求項３いずれか一記載の回路遮断器と；
を備えたことを特徴とする分電盤。
【発明の詳細な説明】
【技術分野】
【０００１】
本発明は、過電流、漏電及び過電圧等の発生時、負荷側への電気回路を遮断する回路遮断器及びこの回路遮断器を備えた分電盤に関する。
【背景技術】
【０００２】
従来、漏電遮断器等の回路遮断器においては、漏電が発生した場合、回路を遮断し、遮断器ケースに設けられた表示ボタン用開口から漏電表示ボタンを外方に突出させ、漏電の発生を表示するものが知られている（例えば、特許文献１参照）。また、電力遮断が生じた原因が、地震時か、過電流時か、漏電時か、中性線欠相時かを表示する表示パネルを設けた構成が提案されている（特許文献２参照）。
【特許文献１】特開２００５−４４７３４号公報
【特許文献２】特開平９−９４８４号公報
【発明の開示】
【発明が解決しようとする課題】
【０００３】
しかしながら、特許文献１に示された漏電表示ボタンで漏電の発生を表示するものにあっては、とりわけ夜間において回路が遮断された場合、その表示が見難く、遮断された原因も分かり難い。また、この種、漏電遮断器等は、一般的に、居住空間の上部で比較的目立たない暗い場所に設置されることが多く、昼間であっても、回路が遮断された場合、その表示が見難いという問題がある。さらに、特許文献２に示されたものは、電力遮断が生じた原因を表示パネルに表示するものであるが、これは、単に表示する構成が示されているにとどまり、その後の復帰作業に関連する遮断スイッチの復帰操作と何ら関係付けられているものではない。
【０００４】
本発明は、上記問題点に鑑みなされたもので、漏電遮断器等の特有の設置環境の中で、漏電等の回路の異常状態の表示と回路の開閉接点の操作ハンドルとを有機的に関連させ、回路の異常状態の表示を視覚的に見易くするとともに、操作ハンドルの状態や位置を確認し易く、その操作性を向上し、異常状態の表示の確認、操作ハンドルの状態の確認、操作ハンドルの復帰といった一連の復帰関連作業を効果的に行える回路遮断器及びこの回路遮断器を備えた分電盤を提供することを目的とする。
【課題を解決するための手段】
【０００５】
請求項１記載の回路遮断器は、電源側と負荷側との間の回路を開閉する回路開閉接点と；この回路開閉接点を開閉操作可能な操作ハンドルと；回路の異常状態を検出する検出手段と；操作ハンドル又は操作ハンドルの近傍に配設され、検出手段の検出出力によって点灯制御される表示用光源と；前記検出手段により回路の異常状態が検出された場合、回路開閉接点を開放するとともに、操作ハンドルをトリップ位置に動作させる開閉機構と；を具備することを特徴とする。
【０００６】
本発明及び以下の発明において、特に指定しない限り用語の定義及び技術的意味は次による。回路遮断器とは、主幹用漏電遮断器、アンペアブレーカ、分岐ブレーカ、モータブレーカ等いずれでも適応する。回路の異常状態には、過電流、漏電、中性線欠相等の複数の異常状態があるが、これらの内、少なくとも１つの状態を検出する構成であればよい。検出手段とは、検出素子、部材、回路等又はこれらの組み合わせと捉えることが可能であるが、要は、異常状態の検出に関与するものであればよく、限定的に解釈されるものではない。また、点灯制御とは、点灯、点滅等の制御を意味する。開閉機構は、回路開閉接点を開放し、操作ハンドルをトリップ位置に動作させる機能を達成する部材や部材の組み合わせを意味する。
【０００７】
請求項２記載の回路遮断器は、前記検出手段は、複数種の異常状態を検出し、表示用光源は、複数種の異常状態に応じて異なる表示態様で点灯制御されることを特徴とする。複数種の異常状態とは、例えば、過電流、漏電等の発生をいう。
【０００８】
請求項３記載の回路遮断器は、検出手段は、少なくとも過電流検出手段、漏電検出手段及び過電圧検出手段を含んでいることを特徴とする。
【０００９】
請求項４記載の分電盤は、分電盤本体と；この分電盤本体に配設された請求項１乃至請求項３いずれか一記載の回路遮断器と；を備えたことを特徴とする。
【発明の効果】
【００１０】
請求項１記載の発明によれば、回路の異常状態の表示が視覚的に見易く、また、操作ハンドルの状態や位置を確認し易く、異常状態の表示の確認、操作ハンドルの状態の確認、操作ハンドルの復帰といった一連の復帰関連作業を異常状態の検出に伴って点灯制御される表示用光源の照明光によって効果的に行うことができる。
【００１１】
請求項２記載の発明によれば、請求項１記載の発明の効果に加え、回路の異常状態に応じて光源が異なる表示態様で点灯制御されるので、異常状態の原因が判別し易い。
【００１２】
請求項３記載の発明によれば、請求項２記載の発明の効果に加え、過電流、漏電、過電圧の異常状態を検出して、その異常状態に応じて表示することができる。
【００１３】
請求項４記載の発明によれば、各請求項記載の回路遮断器の効果を奏する分電盤を提供することができる。
【発明を実施するための最良の形態】
【００１４】
以下、本発明の回路遮断器の第１の実施形態について図１乃至図４を参照して説明する。図１は、回路遮断器の正面図、図２は、回路遮断器の側面図、図３は、同回路図、図４は、同動作を説明するためのフローチャートである。
【００１５】
図１及び図２において、回路遮断器として単相三線式の欠相保護付き漏電遮断器が示されている。この漏電遮断器の本体ケース１は、例えば、フェノール等熱硬化性樹脂からなるベース２と、例えば、ポリアミド系樹脂からなるカバー３とを組み合わせてケース状に構成されている。また、本体ケース１の内部には、後述する回路開閉接点２０を開閉動作する開閉機構２１等が内蔵されている。なお、開閉機構２１等の詳細な構造については、図示及び説明を省略するが、既知のものを適宜採用できる。
【００１６】
本体ケース１の上下には、端子カバー４で覆われた電源側の端子部５と負荷側の端子部６が延設されており、各端子部５、６には、それぞれ３個の端子配設部７・・が形成されている。８は、負荷側の接続線を接続する端子ねじである。また、本体ケース１のカバー３正面には表板部９が形成されており、この表板部９のほぼ中央部には操作ハンドル１０が表面から突出して設けられている。操作ハンドル１０は、回動操作可能であり（図２参照）、その操作によりＯＮ／ＯＦＦの位置に節度的に動作し、回路開閉接点２０を開閉操作できるようになっている。さらに、操作ハンドル１０の両側には、表板部９に形成された円形の開口１１ａ、１１ｂに臨んで動作表示ボタン１２及び試験用押ボタン１３が配設されている。
【００１７】
操作ハンドル１０の下側には、表示窓１４が形成されている。そして、この表示窓１４に対応してネオン管等の光源１５が本体ケース１の内部に配設されている。換言すれば、光源１５は、操作ハンドル１０の近傍に配設されており、光源１５が点灯されると、光源１５からの照明光が表示窓１４を介して操作ハンドル１０を照らすようになっている。なお、光源１５としては、ＬＥＤ等の固体発光素子を用いてもよい。また、本体ケース１の側面からは中性線欠相検出用の過電圧検出リード線１６が導出されている。
【００１８】
図３において、電源側と負荷側との間の接続線２２には、この接続回路を開閉する回路開閉接点２０と過電流検出素子２３とが直列に接続されている。この過電流検出素子２３としては、バイメタルや電磁石等を適用できる。また、接続線２２には、検出制御回路２４が接続されており、この検出制御回路２４にはサージ吸収素子２５が並列に接続されている。さらに、検出制御回路２４には、接続線２２を一次導体とする２次巻線が設けられた零相変流器ZCT、回路開閉接点２０を開放させる引外しコイル２６、表示制御回路２７及び過電圧検出リード線１６が接続されている。引外しコイル２６が動作すると動作表示ボタン１２が突出するようになっている。
【００１９】
また、表示制御回路２７には、光源１５が接続されているとともに、この表示制御回路２７は電源側に接続されており、電源側から電源が供給されるようになっている。過電圧検出リード線１６は、負荷側の中性極に接続して中性線欠相を検出できるように構成されている。なお、表示制御回路２７の電源には、コンデンサ等の内部電源やバッテリ等の外部電源を適用できる。加えて、接続線２２と検出制御回路２４との間には抵抗Ｒを介して接続された試験用押ボタン１３が設けられている。
【００２０】
次に、図３及び図４を参照して回路遮断器の回路遮断動作の一例について説明する。まず、通常の動作においては、負荷電流は、電源側の端子部５、回路開閉接点２０、過電流検出素子２３及び負荷側の端子部６を経由して流れる（Ｓ１）。ここで、検出制御回路２４は、過電流、漏電、中性線欠相等の過電圧を検出し、その検出出力を表示制御回路２７に送信し、表示制御回路２７は、光源１５を異常状態に応じて点灯制御するようになっている。
【００２１】
漏電が発生した場合（Ｓ２）、各接続線２２、つまり、各相の電流バランスがくずれ、零相変流器ZCTの２次巻線に起電力が生じる。これを検出制御回路２４が検出し、検出出力を表示制御回路２７と引外しコイル２６に送信する。すると、表示制御回路２７は、光源１５を高速に点滅、すなわち、フラッシングさせて点灯制御する（Ｓ３）。一方、引外しコイル２６は励磁され、回路開閉接点２０を開放し、回路を遮断する（Ｓ４）。同時に、動作表示ボタン１２が開口１１ａから突出し、これによって漏電発生の表示をするとともに、操作ハンドル１０は、ＯＮの位置からＯＦＦの位置（図２に示すＯＮの位置から下方へ回動したＯＦＦの位置）、つまり、トリップ位置に回動動作する。なお、このトリップ位置は、ＯＮの位置とＯＦＦの位置の中間位置に設定してもよい。これら回路開閉接点２０の開放動作、操作ハンドル１０のトリップ位置への動作等は、前述した開閉機構２１等によって行われる。
【００２２】
中性線欠相等の過電圧が発生した場合（Ｓ５）、その過電圧を検出制御回路２４が検出し、検出出力を表示制御回路２７と引外しコイル２６に送信する。表示制御回路２７は、光源１５を１回／秒の周期で点滅させて点灯制御する（Ｓ６）。以降の回路遮断動作（Ｓ７）、これに伴う動作表示ボタン１２の動作、操作ハンドル１０のトリップ動作は、前記漏電が発生した場合と同様である。
【００２３】
続いて、過電流が発生した場合（Ｓ８）、その過電流を検出制御回路２４が検出し、検出出力を表示制御回路２７に送信する。表示制御回路２７は、光源１５を点灯させて点灯制御する（Ｓ９）。一方、過電流検出素子２３の応動により開閉機構２１が動作し、回路開閉接点２０を開放し、回路を遮断する（Ｓ１０）。また、開閉機構２１により、操作ハンドル１０はトリップ動作する。
【００２４】
よって、本実施形態によれば、漏電、過電流、中性線欠相等の回路の異常状態の発生時、その表示を表示用光源１５によって行うので視覚的に見易く、また、光源１５の照射光により操作ハンドル１０が照らされるので、操作ハンドル１０の状態や位置を確認し易く、その操作性を向上し、異常状態の表示の確認、操作ハンドル１０の状態の確認、操作ハンドル１０の復帰といった一連の復帰関連作業を異常状態の検出に伴って点灯制御される表示用光源の照明光によって効果的に行うことができる。また、回路の異常状態に応じて光源１５が異なる表示態様で点灯制御されるので、異常状態の原因が判別し易い効果を有する。
【００２５】
以上の実施形態の構成において、過電流、漏電、中性線欠相等の過電圧の異常状態に応じて光源１５を点灯及び点滅間隔を変えて表示態様を異なるものとしたが、これらの表示態様は同一のものとしてもよい。表示態様を異なるものとする場合には、ＬＥＤ等を用いて点灯色を異常状態に応じて、例えば、赤、緑、青等に変えるように構成することができる。また、点滅間隔によって表示態様を異なるものとしてもよい。
【００２６】
さらに、異常状態を光源１５を点灯制御することにより表示しているので、動作表示ボタン１２を省くことができ、この場合、動作表示ボタン１２が設けられていた開口１１ａを表示窓とし、この部分に対応して光源１５を配設するようにしてもよい（図１参照）。さらにまた、動作表示ボタン１２を設ける場合には、この動作表示ボタン１２の突出動作に連動して、例えば、光源１５のスイッチがＯＮするように構成し、光源１５を点灯制御するようにしてもよい。なお、異常状態のうち、漏電又は過電圧を検知したときと、過電流を検知したときを区別できるように光源１５を点灯制御するように構成するのが好ましい。
【００２７】
次に、本発明の回路遮断器の第２の実施形態について図５を参照して説明する。図５は、回路遮断器の側面図である。なお、第１の実施形態と同一又は相当部分には、同一符号を付しその詳細な説明は省略する。本実施形態では、操作ハンドル１０-2を透光性の部材、具体的には乳白色の部材で形成し、光源１５を操作ハンドル１０-2と対向して本体ケース１の内部に配設したものである。したがって、光源１５は、操作ハンドル１０-2の近傍に配設されており、光源１５が点灯されると、光源１５からの照明光が操作ハンドル１０-2を介して外部に照射される。
【００２８】
以上のように本実施形態によれば、上記第１の実施形態の効果に加え、光源１５からの光は、直接的に操作ハンドル１０-2に入射し、照らされるので、一層操作ハンドル１０-2の状態や位置を確認し易くなる効果が期待できる。
【００２９】
次に、本発明の回路遮断器の第３の実施形態について図６を参照して説明する。図６は、回路遮断器の側面図である。なお、第１の実施形態と同一又は相当部分には、同一符号を付しその詳細な説明は省略する。本実施形態では、光源１５を操作ハンドル１０-3の先端部に直接配設したものである。したがって、光源１５が点灯されると、操作ハンドル１０-3が明るく光って視認される。
【００３０】
以上のように本実施形態によれば、上記第２の実施形態の効果に加え、操作ハンドル１０-3の状態や位置の視認性が向上でき、また、光源１５を操作ハンドル１０-3に配設したので、本体ケース１内に、特別に光源１５の設置スペースを設けることなく、操作ハンドル１０-3を有効に利用して光源１５を配設することが可能となる。
【００３１】
次に、本発明の分電盤の実施形態について図７を参照して説明する。図７（ａ）は、分電盤の側面図、図７（ｂ）は、正面図である。分電盤３０は、主に家庭や店舗等に設置されるものでケース状の分電盤本体３１を備えている。この分電盤本体３１には、上記各実施形態の回路遮断器が組込まれるようになっている。分電盤本体３１は、壁面等に取付られるベース３２と、このベース３２の正面側に取付けられる枠状のかバー３３と、このカバー３３の正面側に開閉可能に取着される扉３４とを備えている。この分電盤本体３１の内側には電源線に接続される図示しないアンペアブレーカが取り付けられるアンペアブレーカ取付部３５と、このアンペアブレーカの２次側が接続される上記回路遮断器である主幹ブレーカ３６と、この主幹ブレーカ３６の２次側が接続される複数の分岐ブレーカ３７等が配設されている。
【００３２】
以上のように本実施形態によれば、上記各実施形態の回路遮断器が奏する効果を達成し得る分電盤を提供することができる。
【図面の簡単な説明】
【００３３】
【図１】本発明の回路遮断器の第１の実施形態を示す正面図である。
【図２】同側面図である。
【図３】同回路図である。
【図４】同動作を説明するためのフローチャートである。
【図５】本発明の第２の実施形態を示す側面図である。
【図６】本発明の第３の実施形態を示す側面図である。
【図７】本発明の分電盤の実施形態を示す側面図及び正面図である。
【符号の説明】
【００３４】
１・・・本体ケース、１０・・・操作ハンドル、１５・・・表示用光源、
２０・・・回路開閉接点、２１・・・開閉機構、２４・・・検出制御回路、
３０・・・分電盤、３１・・・分電盤本体
【図１】
2009259440.tif 000003
【図２】
2009259440.tif 000004
【図３】
2009259440.tif 000005
【図４】
2009259440.tif 000006
【図５】
2009259440.tif 000007
【図６】
2009259440.tif 000008
【図７】
2009259440.tif 000009